(57)【要約】輝度ムラを抑制可能な照明装置を提供することを目的とする。本発明の照明装置は、複数のＬＥＤ１７と、平面視方形状をなす底板１４ａを有し、複数のＬＥＤ１７を収容するシャーシ１４と、を備え、複数のＬＥＤ１７は、底板１４ａの表面に沿って行方向及び列方向を形成する形で行列状に配されており、行方向に沿って配列された複数のＬＥＤ１７からなる光源群５０は、列方向において、底板１４ａの中央側に配される中央側光源群５１と、これよりも端部側に配される端部側光源群５２と、を有し、端部側光源群５２における一端側の最端に配されたＬＥＤ１７Ａは、中央側光源群５１における一端側の最端に配されたＬＥＤ１７Ｂよりも、底板１４ａにおける行方向の外側に配されていることを特徴とする。
2011070872.tif 000002
【特許請求の範囲】
【請求項１】
複数の光源と、
平面視方形状をなす底部を有し、前記複数の光源を収容するシャーシと、を備え、
前記複数の光源は、前記底部の表面に沿って行方向及び列方向を形成する形で行列状に配されており、
前記行方向に沿って配列された複数の前記光源からなる光源群は、前記列方向において、前記底部の中央側に配される中央側光源群と、これよりも端部側に配される端部側光源群と、を有し、
前記端部側光源群における一端側の最端に配された前記光源は、前記中央側光源群における前記一端側の最端に配された前記光源よりも、前記底部における前記行方向の外側に配されていることを特徴とする照明装置。
【請求項２】
前記端部側光源群における両端に配された前記光源は、前記中央側光源群における両端に配された前記光源よりも、前記底部における前記行方向の外側に、それぞれ配されていることを特徴とする請求項１に記載の照明装置。
【請求項３】
前記端部側光源群において、前記一端側の最端に配された前記光源は、前記端部側光源群において隣り合う前記光源よりも、前記底部における前記列方向の外側に配されていることを特徴とする請求項１又は請求項２に記載の照明装置。
【請求項４】
前記端部側光源群は、前記列方向において、複数列配され、
前記列方向において、前記底部の端部側に配された第１の端部側光源群と、これよりも前記底部の中央側に配された第２の端部側光源群と、を有し、
前記第１の端部側光源群における前記一端側の最端に配された前記光源は、
前記第２の端部側光源群における前記一端側の最端に配された前記光源よりも、前記底部における前記行方向の外側に配されていることを特徴とする請求項１から請求項３のいずれか１項に記載の照明装置。
【請求項５】
前記光源群は、前記列方向において、少なくとも３列配され、前記列方向における両端の前記光源群が、それぞれ前記端部側光源群であることを特徴とする請求項１から請求項４のいずれか１項に記載の照明装置。
【請求項６】
前記光源の光出射側には、当該光源からの光を拡散可能な拡散レンズが配されていることを特徴とする請求項１から請求項５のいずれか１項に記載の照明装置。
【請求項７】
前記光源は、ＬＥＤであることを特徴とする請求項１から請求項６のいずれか１項に記載の照明装置。
【請求項８】
請求項１から請求項７のいずれか１項に記載の照明装置と、
前記照明装置からの光を利用して表示を行う表示パネルと、を備えることを特徴とする表示装置。
【請求項９】
前記表示パネルが液晶を用いた液晶パネルであることを特徴とする請求項８に記載の表示装置。
【請求項１０】
請求項８又は請求項９に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置は、従来のブラウン管から液晶パネルやプラズマディスプレイパネルなどの薄型表示素子を適用した薄型表示装置に移行しつつある。表示素子として液晶パネルを用いた場合、液晶パネルは自発光しないため、別途に照明装置としてバックライト装置が必要となる。バックライト装置の一例として下記特許文献１に記載されたものがある。特許文献１に記載のバックライト装置は、複数の光源（ＬＥＤ）を行列状に配列することで、面状光源を構成している。
【先行技術文献】
【特許文献】
【０００３】
【特許文献１】特開２００７−３１７４２３号公報
【０００４】
（発明が解決しようとする課題）
上記したバックライト装置においては、複数の光源（ＬＥＤ）を行列状に配列している。このため、光源が配された面（ひいては、光出射面）上において、中央部は光源の配置密度が高く、相対的に輝度が高くなる一方で、周縁部は、光源の配置密度が低く、相対的に輝度が低くなる。例えば、シャーシが平面視方形状であって、その全面に光源を行列状に配した構成の場合、シャーシの隅部（４隅）は特に光源の配置密度が低くなり、輝度の低下が顕著となる結果、輝度ムラが生じるおそれがある。
【発明の概要】
【０００５】
本発明は上記のような事情に基づいて完成されたものであって、輝度ムラを抑制可能な照明装置を提供することを目的とする。また、このような照明装置を備えた表示装置、及びテレビ受信装置を提供することを目的とする。
【０００６】
（課題を解決するための手段）
上記課題を解決するために、本発明の照明装置は、複数の光源と、平面視方形状をなす底部を有し、前記複数の光源を収容するシャーシと、を備え、前記複数の光源は、前記底部の表面に沿って行方向及び列方向を形成する形で行列状に配されており、前記行方向に沿って配列された複数の前記光源からなる光源群は、前記列方向において、前記底部の中央側に配される中央側光源群と、これよりも端部側に配される端部側光源群と、を有し、前記端部側光源群における一端側の最端に配された前記光源は、前記中央側光源群における前記一端側の最端に配された前記光源よりも、前記底部における前記行方向の外側に配されていることに特徴を有する。
【０００７】
平面視方形状をなす底部に行列状に光源を配する場合、底部の隅部においては、その中央部と比べて、光源の配置密度が少なくなり、暗部になりやすい。このような事態を防止するためには、例えば、底部の隅部における光源の個数を増やす構成が考えられる。しかし、光源の個数が増加すれば、部品コストや消費電力の増大を招くため好ましくない。
【０００８】
そこで、本発明においては、端部側光源群における一端側の最端に配された光源を、中央側光源群における一端側の最端に配された光源よりも、底部における行方向の外側に配する構成とした。すなわち、端部側光源群における一端側の最端に配された光源（底部の隅部に近い光源）が、底部の隅部に、より近づく形で配される。これにより、その隅部の輝度が、中央側の輝度に比して低下することを抑制でき、輝度ムラを抑制できる。このように、本発明においては、光源の配置を調整することで、隅部の輝度低下を抑制している。このため、例えば、隅部に光源を追加する構成と比較して、コストアップを回避することが可能となる。
【０００９】
上記構成において、前記端部側光源群における両端に配された前記光源は、前記中央側光源群における両端に配された前記光源よりも、前記底部における前記行方向の外側に、それぞれ配されているものとすることができる。このような構成とすれば、端部側光源群における両端の光源に対応した両隅部の輝度低下を抑制できる。
【００１０】
また、前記端部側光源群において、前記一端側の最端に配された前記光源は、前記端部側光源群において隣り合う前記光源よりも、前記底部における前記列方向の外側に配されているものとすることができる。このような構成とすれば、底部上において、一端側の最端に配された光源を、対応する隅部に、より近づけて配することができ、その隅部の輝度低下をより効果的に抑制できる。
【００１１】
また、前記端部側光源群は、前記列方向において、複数列配され、前記列方向において、前記底部の端部側に配された第１の端部側光源群と、これよりも前記底部の中央側に配された第２の端部側光源群と、を有し、前記第１の端部側光源群における前記一端側の最端に配された前記光源は、前記第２の端部側光源群における前記一端側の最端に配された前記光源よりも、前記底部における前記行方向の外側に配されているものとすることができる。
【００１２】
また、前記光源群は、前記列方向において、少なくとも３列配され、前記列方向における両端の前記光源群が、それぞれ前記端部側光源群であるものとすることができる。このような構成とすれば、列方向における両端の光源群において、その一端側の最端に配された光源に対応した各隅部の輝度低下を抑制できる。
【００１３】
また、前記光源の光出射側には、当該光源からの光を拡散可能な拡散レンズが配されているものとすることができる。これにより、各光源間の配置間隔を大きくしつつ（すなわち光源数を削減しつつ）、輝度を均一にすることができる。この結果、均一な輝度分布を必要とする場合において、拡散レンズを用いない場合と比較し、光源数及び光源ユニットの個数を削減することができ、コストを低減できる。
【００１４】
また、前記光源としては、ＬＥＤを例示することができる。これにより、高輝度化及び低消費電力化などを図ることができる。
【００１５】
次に、上記課題を解決するために、本発明の表示装置は、上述した照明装置と、前記照明装置からの光を利用して表示を行う表示パネルと、を備えることを特徴とする。
【００１６】
また、前記表示パネルとしては液晶パネルを例示することができる。このような表示装置は液晶表示装置として、種々の用途、例えばテレビやパソコンのデスクトップ画面等に適用でき、特に大型画面用として好適である。
【００１７】
次に、上記課題を解決するために、本発明のテレビ受信装置は、上記表示装置を備えることを特徴とする。
【００１８】
（発明の効果）
本発明によれば、輝度ムラを抑制可能な照明装置と、このような照明装置を備えた表示装置、テレビ受信装置を提供することが可能となる。
【図面の簡単な説明】
【００１９】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置が備えるバックライト装置を示す平面図。
【図４】図２の液晶表示装置の長辺方向に沿った断面構成を示す断面図（図３のiv-iv線断面図）。
【図５】図２の液晶表示装置の短辺方向に沿った断面構成を示す断面図（図３のv-v線断面図）。
【図６】図４においてＬＥＤ周辺を拡大した拡大断面図。
【図７】本発明の実施形態２に係るバックライト装置を示す平面図。
【図８】本発明の実施形態３に係るバックライト装置を示す平面図。
【発明を実施するための形態】
【００２０】
＜実施形態１＞
本発明の実施形態１を図１ないし図６によって説明する。本実施形態では、液晶表示装置１０について例示する。なお、各図面の一部にはＸ軸、Ｙ軸及びＺ軸を示しており、液晶表示装置１０及び液晶パネル１１（後述）の長辺方向をＸ軸方向、短辺方向をＹ軸方向としている。また、図４や図５などにおける上下方向をＺ軸方向（表裏方向）としており、同図上側を表側とするとともに同図下側を裏側とする。
【００２１】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置１０（表示装置）は、全体として横長の方形（矩形状）をなし、縦置き状態で収容されている。この液晶表示装置１０は、図２に示すように、表示パネルである液晶パネル１１と、外部光源であるバックライト装置１２（照明装置）とを備え、これらが枠状のベゼル１３などにより一体的に保持されるようになっている。本実施形態では、画面サイズが４２インチで横縦比が１６：９のものを例示するものとする。
【００２２】
次に、液晶表示装置１０を構成する液晶パネル１１及びバックライト装置１２について順次に説明する。このうち、液晶パネル１１（表示パネル）は、平面視にて横長の方形状（矩形状）をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両ガラス基板の外側には偏光板がそれぞれ配されている。
【００２３】
続いて、バックライト装置１２について詳しく説明する。バックライト装置１２は、液晶パネル１１のパネル面（表示面）の背面直下に、複数のＬＥＤ１７が設けられた、いわゆる直下型のバックライト装置である。図２に示すように、バックライト装置１２は、光出射面側（液晶パネル１１側）に開口部１４ｂを有した略箱型をなすシャーシ１４と、シャーシ１４の開口部１４ｂを覆うようにして配される光学部材１５群（拡散板１５ａと、拡散板１５ａと液晶パネル１１との間に配される複数の光学シート１５ｂ）、シャーシ１４の外縁部に沿って配され光学部材１５群の外縁部をシャーシ１４との間で挟んで保持するフレーム１６と、シャーシ１４の内面をほぼ全域にわたって覆い、シャーシ１４内の光を光学部材１５側に反射させるシャーシ用反射シート２２とを備える。
【００２４】
図３に示すように、シャーシ１４内には、光源であるＬＥＤ１７（Light Emitting Diode：発光ダイオード）などを有するＬＥＤユニットＵ（光源ユニット）が複数収容されるとともに、ＬＥＤユニットＵをシャーシ１４に対して保持させるための保持部材２０が備えられる。なお、当該バックライト装置１２においては、ＬＥＤユニットＵよりも光学部材１５側（表側）が光出射側となっている。以下では、バックライト装置１２の各構成部品について詳しく説明する。
【００２５】
シャーシ１４は、金属製とされ、図３から図５に示すように、液晶パネル１１と同様に平面視にて横長の方形状（矩形状）をなす底板１４ａと、底板１４ａの各辺の外端から立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向（水平方向）と一致し、短辺方向がＹ軸方向（鉛直方向）と一致している。シャーシ１４における各受け板１４ｄには、表側からフレーム１６及び光学部材１５が載置可能とされる。また、各受け板１４ｄには、フレーム１６がねじ止めされている。なお、シャーシ１４の底板１４ａは、横長の形状でなくてもよく、例えば、正方形状などであってもよい。
【００２６】
光学部材１５は、図２に示すように、液晶パネル１１及びシャーシ１４と同様に平面視にて横長の方形状（矩形状）をなしている。光学部材１５は、図４及び図５に示すように、その外縁部が受け板１４ｄに載せられることで、シャーシ１４の開口部１４ｂを覆うとともに、液晶パネル１１とＬＥＤユニットＵとの間に介在して配される。
【００２７】
光学部材１５は、裏側（ＬＥＤユニットＵ側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしている。具体的な光学シート１５ｂの種類としては、例えば拡散シート、レンズシート、反射型偏光シートなどがあり、これらの中から適宜に選択して使用することが可能である。
【００２８】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図４）。また、このフレーム１６は、液晶パネル１１における外縁部を裏側から受けることができる。また、フレーム１６の表側には、ベゼル１３がネジ（不図示）によって、ネジ止めされている。これにより、ベゼル１３とフレーム１６との間で液晶パネル１１の外縁部を挟持可能とされる。
【００２９】
次に、ＬＥＤユニットＵについて詳しく説明する。ＬＥＤユニットＵは、図３に示すように、Ｘ軸方向に長い形状をなし、Ｙ軸方向に沿って複数組（本実施形態では９組）配列されている。ＬＥＤユニットＵは、図３及び図４に示すように、ＬＥＤ１７（光源）と、ＬＥＤ１７が実装されたＬＥＤ基板１８を主体に構成されている。また、ＬＥＤユニットＵには、ＬＥＤ基板１８においてＬＥＤ１７に対応した位置に取り付けられる拡散レンズ１９と、基板用反射シート２３とが設けられている。次に、ＬＥＤユニットＵの構成部品について説明する。
【００３０】
ＬＥＤ１７は、平面に視て点状をなす点状光源の一種であり、ＬＥＤ基板１８の長辺方
向（Ｘ軸方向）に沿って複数個配列されている。ＬＥＤ１７は、ＬＥＤチップを樹脂材により封止することで構成されている。このＬＥＤチップは、例えば、主発光波長が１種類とされ、具体的には、青色を単色発光するものが用いられている。その一方、ＬＥＤチップを封止する樹脂材には、ＬＥＤチップから発せられた青色の光を、白色の光に変換する蛍光体が分散配合されている。これにより、このＬＥＤ１７は、白色発光が可能とされる。
【００３１】
図６に示すように、ＬＥＤ１７は、ＬＥＤ基板１８に対する実装面とは反対側の面（表側を向いた面）が発光面１７ａ（光出射面）となる、いわゆるトップ型とされている。ＬＥＤ１７における光軸Ｅ１は、Ｚ軸方向（液晶パネル１１及び光学部材１５の主板面と直交する方向）とほぼ一致する設定とされている。なお、ＬＥＤ１７から発せられる光は、光軸Ｅ１を中心にして所定の角度範囲内で三次元的にある程度放射状に広がるのであるが、その指向性は冷陰極管などと比べると高いものとされる。つまり、ＬＥＤ１７の発光強度は、光軸Ｅ１に沿った方向が際立って高く、光軸Ｅ１に対する傾き角度が大きくなるに連れて急激に低下するような傾向の角度分布を示す。
【００３２】
ＬＥＤ基板１８は、図３から図５に示すように、平面視にてＸ軸方向に長い矩形状をなしており、長辺方向がＸ軸方向と一致し、短辺方向がＹ軸方向と一致する状態でシャーシ１４内において底板１４ａに沿って延在しつつ収容される。つまり、ＬＥＤ１７はシャーシ１４の底板１４ａに配されている。また、ＬＥＤ基板１８における長辺方向の両端部には、コネクタ部１８ａが設けられている。
【００３３】
拡散レンズ１９は、ほぼ透明で（高い透光性を有し）且つ屈折率が空気よりも高い合成樹脂材料（例えばポリカーボネートやアクリルなど）からなる。拡散レンズ１９は、図６に示すように、所定の厚みを有するとともに、平面に視て略円形状をなすレンズ本体１９ａを有しており、ＬＥＤ基板１８に対して各ＬＥＤ１７の表側（光出射側）をから個別に覆うよう、つまり平面に視て各ＬＥＤ１７と重畳するように、それぞれ取り付けられている。
【００３４】
拡散レンズ１９の下面１９ｂの周縁部には、脚部１９ｅが突設されている。脚部１９ｅは、平面視において、拡散レンズ１９の周縁部に沿ってほぼ等間隔（約１２０度間隔）で３箇所配置されており、例えば、接着剤や熱硬化性樹脂でＬＥＤ基板１８の表面に固定されている。拡散レンズ１９の下面（ＬＥＤ１７及びＬＥＤ基板１８と対向する面）のうちＬＥＤ１７と平面視重畳する部位には上方側に窪んだ状態の略円錐形の入射凹部１９ｄが形成されており、この入射凹部１９ｄにＬＥＤ１７からの光が入射される。また、当該拡散レンズ１９の下面には、シボ処理等の表面粗し処理が施されている。
【００３５】
一方、拡散レンズ１９の上面（拡散板１５ａと対向する面）には、中央部（ＬＥＤ１７と平面視重畳する部位）に下方側へ窪んだ状態の凹部１９ｆが形成され、断面視において２つの緩やかな円弧が連なった形の光出射面１９ｃが形成されている。ＬＥＤ１７から出射された光は、空気層と入射凹部１９ｄ、及び光出射面１９ｃと空気層との間で屈折することにより、面状に拡散され、広角の範囲に亘って光出射面１９ｃから拡散板１５ａ側へ照射される。このように拡散レンズ１９によって、ＬＥＤ１７の発光面１７ａから発せられた指向性の強い光を拡散させつつ出射させることができる。つまり、ＬＥＤ１７から発せられた光は、拡散レンズ１９を介することにより指向性が緩和されるので、隣り合うＬＥＤ１７間の間隔を広くとっても、その間の領域が暗部として視認され難くなる。これにより、ＬＥＤ１７の設置個数を少なくすることが可能となっている。
【００３６】
また、光出射面１９ｃのうち平面に視てＬＥＤ１７と重畳する領域は、他の領域と比べてＬＥＤ１７からの光量が極めて多くなる領域であり、輝度が局所的に高くなる。そこで、拡散レンズ１９の上面の中央部に上記した凹部１９ｆを形成することにより、ＬＥＤ１７からの光の多くを広角に屈折させつつ出射させたり、或いはＬＥＤ１７からの光の一部をＬＥＤ基板１８側に反射させたりすることができる。これにより、光出射面１９ｃのうちＬＥＤ１７と重畳する領域の輝度が局所的に高くなるのを抑制することができ、輝度ムラの防止に好適となる。
【００３７】
図６に示すように、各ＬＥＤ基板１８には、これらを個別に覆う大きさの基板用反射シート２３が設けられている。この基板用反射シート２３は、例えば、合成樹脂製とされ、表面が光の反射性に優れた白色を呈するものとされる。基板用反射シート２３は、ＬＥＤ基板１８に沿って延在されており、ＬＥＤ基板１８と概ね同じ外形、つまり平面に視て矩形状に形成されている。基板用反射シート２３は、図６に示すように、ＬＥＤ基板１８における表側の面、つまりＬＥＤ１７の実装面に重なるよう配されるとともに、そのほぼ全域を表側から覆うようにして配される。
【００３８】
そして、基板用反射シート２３は、拡散レンズ１９とＬＥＤ基板１８との間に介在している。具体的には、基板用反射シート２３は、平面視において、シャーシ用反射シート２２に形成されたレンズ挿通孔２２ｂ（後述）と平面視において重畳する形で配されており、レンズ挿通孔２２ｂに対応する領域内に入射した光を拡散レンズ１９側に反射させることができる。これにより、光の利用効率を高めることができ、もって輝度の向上を図ることができる。言い換えると、ＬＥＤ１７の設置個数を少なくして低コスト化を図った場合でも十分な輝度を得ることができる。
【００３９】
また、基板用反射シート２３のうち、平面に視てＬＥＤ基板１８における各ＬＥＤ１７と重畳する位置には、図６に示すように、各ＬＥＤ１７を通すＬＥＤ挿通孔２３ａが形成されている。ＬＥＤ挿通孔２３ａの径寸法はＬＥＤ１７よりは大きいものの、シャーシ用反射シート２２のレンズ挿通孔２２ｂ及び拡散レンズ１９よりは小さいものとされる。
【００４０】
また、基板用反射シート２３には、各拡散レンズ１９における各脚部１９ｅを挿通可能な脚部挿通孔２３ｂがそれぞれ貫通形成されている。脚部挿通孔２３ｂは、平面に視て脚部１９ｅの外形に沿うような略円形状をなしており、その径寸法は、脚部１９ｅよりも一回り大きいものとされる。
【００４１】
上記した構成部品からなるＬＥＤユニットＵは、図３に示すように、シャーシ１４内においてＸ軸方向及びＹ軸方向にそれぞれ複数ずつ、互いに長辺方向及び短辺方向を揃えた状態で並列して配置されている。つまり、ＬＥＤユニットＵ（ＬＥＤ基板１８）は、シャーシ１４内において共にＸ軸方向（シャーシ１４及びＬＥＤ基板１８の長辺方向）を行方向とし、Ｙ軸方向（シャーシ１４及びＬＥＤ基板１８の短辺方向）を列方向として行列配置（マトリクス状に配置）されている。この構成によって、複数のＬＥＤ１７が、シャーシ１４の底板１４ａの表面に沿って、行方向（Ｘ軸方向）及び列方向（Ｙ軸方向）を形成する形で行列状に配列されている。
【００４２】
なお、ここでいう「行方向を形成する」とは、一方向（Ｘ軸方向）に沿って複数のＬＥＤ１７が配列されている状態のことである。同様に「列方向を形成する」とは、上述した一方向（Ｘ軸方向）と交差する方向（Ｙ軸方向）に沿って複数のＬＥＤ１７が配列されている状態のことである。また、「一方向に沿って複数のＬＥＤ１７が配列される」とは、全てのＬＥＤ１７が同一直線上にある状態に限定されず、配列された各ＬＥＤ１７を結ぶ線が、非直線状をなしている構成も含まれる。なお、ＬＥＤ１７の配置については、後で詳しく説明を行う。
【００４３】
具体的には、ＬＥＤユニットＵは、シャーシ１４内においてＸ軸方向に３つずつ、Ｙ軸方向に９つずつ、合計２７個が並列して配置されている。上記したようにＸ軸方向に沿って並ぶ各ＬＥＤ基板１８は、隣接するコネクタ部１８ａ同士が嵌合接続されることで相互に電気的に接続されるとともに、シャーシ１４におけるＸ軸方向の両端に対応したコネクタ部１８ａが図示しない外部の制御回路に対して、それぞれ電気的に接続される。これにより、１つの行をなす各ＬＥＤ基板１８に配された各ＬＥＤ１７が直列接続されるとともに、その１つの行に含まれる多数のＬＥＤ１７の点灯・消灯を１つの制御回路により一括して制御することができ、もって低コスト化を図ることが可能とされる。
【００４４】
上記した各ＬＥＤ基板１８は、図４に示すように、保持部材２０によってシャーシ１４の底板１４ａに固定されている。保持部材２０は、円盤状の押え部２０ａと、当該押え部２０ａから下方側へ突出する係止部２０ｂとを有する。ＬＥＤ基板１８には、係止部２０ｂを挿通するための挿通孔１８ｃが穿設されており、またシャーシ１４の底板１４ａには、当該挿通孔１８ｃと連通する取付孔が穿設されている。保持部材２０の係止部２０ｂの先端部は弾性変形可能な幅広部となっており、挿通孔１８ｃ及び底板１４ａの取付孔に挿通された後、シャーシ１４の底板１４ａの裏面側に係止可能となっている。これにより、保持部材２０は、押え部２０ａでＬＥＤ基板１８を押えつつ、当該ＬＥＤ基板１８を底板１４ａに固定可能となっている。
【００４５】
また、図２に示すように、保持部材２０のうち、シャーシ１４の底板１４ａの中央部付近に位置する保持部材２０Ｂの表面には、支持ピン２７が突設されている。支持ピン２７は、表側へ向かって先細りしつつ、先端が丸みを帯びた円錐形とされている。拡散板１５ａが下方側へ撓んだ際に、当該拡散板１５ａと支持ピン２７の先端とが点接触することにより、拡散板１５ａを下方から支持することが可能となっており、拡散板１５ａの撓みに起因した輝度ムラを抑制可能となっている。なお、支持ピン２７が設けられていない保持部材２０については、符号２０Ａを付してある。
【００４６】
シャーシ用反射シート２２は、シャーシ１４の内面をほぼ全域にわたって覆う大きさで設定されている。シャーシ用反射シート２２は、例えば、合成樹脂製とされ、表面が光の反射性に優れた白色を呈するものとされる。シャーシ用反射シート２２は、図３に示すように、シャーシ１４の内面に沿って延在するものとされ、そのうち、シャーシ１４の底板１４ａに沿って延在する中央側の大部分はシート底部３１とされる。
【００４７】
図３に示すようにシート底部３１は、平面視において略矩形状をなしている。図６に示すように、シート底部３１には、上述した拡散レンズ１９を通すことが可能なレンズ挿通孔２２ｂが貫通して形成されている。レンズ挿通孔２２ｂは、拡散レンズ１９に対応した位置に複数並列して配されている（すなわち、マトリクス状に配されている）。レンズ挿通孔２２ｂは、拡散レンズ１９の形状に対応して、平面視にて円形状をなしており、その径寸法Ｒ１は拡散レンズ１９の径寸法Ｒ２よりも大きく設定される。
【００４８】
これにより、シャーシ用反射シート２２をシャーシ１４内に敷設する際、寸法誤差の有無に拘わらず各拡散レンズ１９を各レンズ挿通孔２２ｂに対して確実に通すことができる。このシャーシ用反射シート２２は、図３に示すように、シャーシ１４内において、隣り合う各拡散レンズ１９間の領域及び外周側領域を覆うので、それら各領域に向かう光を光学部材１５側に向けて反射させることができる。
【００４９】
また、図３に示すように、シート底部３１における周縁（周囲の四辺）からは、傾斜状をなすシート傾斜部３２がそれぞれ延出されている。各シート傾斜部３２は、シャーシ１４の側板１４ｃを覆うように立ち上がっている（図４、図５）。各シート傾斜部３２の周縁からは、受け板１４ｄに沿って載置部３３が延出され、この載置部３３は受け板１４ｄに載置される。また、光学部材１５は載置部３３に支持されている。つまり、載置部３３はシャーシ１４と光学部材１５とに挟持される構成となっている。
【００５０】
次に、本実施形態におけるＬＥＤ１７の配置について、詳しく説明を行う。上述したように、ＬＥＤ１７は平面視において略行列状に配されている（図３）。なお、ＬＥＤ１７は、上述したように平面視において拡散レンズ１９の中心に配されている。このため、図３においては、ＬＥＤ１７を拡散レンズ１９の中心に配された点で概略的に図示してある。
【００５１】
本実施形態においては、Ｘ軸方向（行方向）に沿って配された複数のＬＥＤ１７の群（以下、光源群５０と呼ぶ）が、Ｙ軸方向（列方向）に複数列（本実施形態では９列）それぞれ平行をなして配される構成となっている。そして、これら光源群５０は、Ｙ軸方向（列方向）において、底板１４ａの中央側に配される中央側光源群５１と、この中央側光源群５１よりも、端部側（図３の上下両側のうちいずれか一方）に配される端部側光源群５２とを有している。本実施形態では、端部側光源群５２の一例として、Ｙ軸方向における両端の光源群５０を例示する。また、中央側光源群５１の一例としては、９列配された光源群５０のうち、Ｙ軸方向の中央に配された光源群５０を例示する。
【００５２】
そして、端部側光源群５２における図３の右側（一端側）の最端に配されたＬＥＤ１７（符号１７Ａを付す）は、中央側光源群５１における図３の右側（一端側）の最端に配されたＬＥＤ１７（符号１７Ｂを付す）よりも、底板１４ａにおけるＸ軸方向（行方向）の外側（図３の右側）に配されている。言い換えると、このＬＥＤ１７Ａは、ＬＥＤ１７Ｂに比べて、Ｘ軸方向において、底板１４ａの隅部（より具体的には、４箇所ある隅部のうち、対応する一箇所の隅部）に近づく形で配されている。
【００５３】
一方、端部側光源群５２における図３の左側（一端側）の最端に配されたＬＥＤ１７（符号１７Ｄを付す）は、中央側光源群５１における図３の左側（一端側）の最端に配されたＬＥＤ１７（符号１７Ｅを付す）よりも、底板１４ａにおけるＸ軸方向（行方向）の外側（図３の左側）に配されている。
【００５４】
上述の構成を言い換えると、端部側光源群５２における両端に配されたＬＥＤ１７Ａ，１７Ｄは、中央側光源群５１における両端に配されたＬＥＤ１７Ｂ，１７Ｅよりも、底板１４ａにおけるＸ軸方向（行方向）の外側に、それぞれ配された構成となっている。なお、このような構成は、両端に配されたＬＥＤ１７Ａ，１７Ｄのうち、いずれか一方のみに適用されていてもよい。
【００５５】
なお、本実施形態においては、複数の光源群５０のうち、端部側光源群５２以外の光源群５０において、両端のＬＥＤ１７は、中央側光源群５１における両端のＬＥＤ１７と、Ｘ軸方向において、それぞれ同じ位置に配されている。言い換えると、端部側光源群５２のみ、Ｘ軸方向における全長（一端のＬＥＤ１７から他端のＬＥＤ１７の長さ）が、他の光源群５０よりも長く設定されている。
【００５６】
以上、説明したように、本実施形態のバックライト装置１２は、複数のＬＥＤ１７と、平面視方形状をなす底板１４ａ（底部）を有し、複数のＬＥＤ１７を収容するシャーシ１４と、を備え、複数のＬＥＤ１７は、底板１４ａの表面に沿って行方向（Ｘ軸方向）及び列方向（Ｙ軸方向）を形成する形で行列状に配されており、Ｘ軸方向に沿って配列された複数のＬＥＤ１７からなる光源群５０は、Ｙ軸方向において、底板１４ａの中央側に配される中央側光源群５１と、これよりも端部側に配される端部側光源群５２と、を有し、端部側光源群５２における一端側の最端に配されたＬＥＤ１７（例えば、ＬＥＤ１７Ａ）は、中央側光源群５１における一端側の最端に配されたＬＥＤ１７（例えば、ＬＥＤ１７Ｂ）よりも、底板１４ａにおけるＸ軸方向（行方向）の外側に配されていることに特徴を有する。
【００５７】
平面視方形状をなす底板１４ａに行列状にＬＥＤ１７を配する場合、底板１４ａの隅部においては、その中央部と比べて、ＬＥＤ１７の配置密度が少なくなり、暗部になりやすい。このような事態を防止するためには、例えば、底板１４ａの隅部におけるＬＥＤ１７の個数を増やす構成が考えられる。しかし、ＬＥＤ１７の個数が増加すれば、部品コストや消費電力の増大を招くため好ましくない。
【００５８】
そこで、本実施形態のバックライト装置１２においては、端部側光源群５２における一端側の最端に配されたＬＥＤ１７を、中央側光源群５１における一端側の最端に配されたＬＥＤ１７よりも、底板１４ａにおけるＸ軸方向（行方向）の外側に配する構成とした。すなわち、端部側光源群５２における一端側の最端に配されたＬＥＤ１７Ａ，１７Ｄ（底板１４ａの隅部に、より近いＬＥＤ１７）は、中央側光源群５１における一端側の最端に配されたＬＥＤ１７Ｂ，１７Ｅよりも、Ｘ軸方向において、底板１４ａの隅部の各々に、より近づく形で配される。これにより、各隅部の輝度が、中央側の輝度に比して低下することを抑制でき、輝度ムラを抑制できる。このように、本実施形態においては、ＬＥＤ１７の配置を調整することで、隅部の輝度低下を抑制している。このため、例えば、隅部にＬＥＤ１７を追加する構成と比較して、コストアップを回避することが可能となる。
【００５９】
また、端部側光源群５２における両端に配されたＬＥＤ１７Ａ，１７Ｄは、中央側光源群５１における両端に配されたＬＥＤ１７Ｂ，１７Ｅよりも、底板１４ａにおけるＸ軸方向の外側に、それぞれ配されている。このような構成とすれば、端部側光源群５２における両端のＬＥＤ１７Ａ，１７Ｄに対応した各隅部（各ＬＥＤ１７Ａ，１７Ｄに最も近い隅部）の輝度低下を抑制できる。
【００６０】
また、光源群５０は、Ｙ軸方向において、少なくとも３列（本実施形態では９列）配され、Ｙ軸方向における両端の光源群５０が、それぞれ端部側光源群５２とされる。このような構成とすれば、Ｙ軸方向における両端の光源群５０において、その一端側の最端に配されたＬＥＤ１７Ａ，１７Ｄに対応した各隅部の輝度低下を抑制できる。
【００６１】
また、ＬＥＤ１７の光出射側（表側）には、ＬＥＤ１７からの光を拡散可能な拡散レンズ１９が配されている。これにより、各ＬＥＤ１７間の配置間隔を大きくしつつ（すなわちＬＥＤの個数を削減しつつ）、輝度を均一にすることができる。この結果、均一な輝度分布を必要とする場合において、拡散レンズ１９を用いない場合と比較し、ＬＥＤ１７及び光源ユニットＵの個数を削減することができ、コストを低減できる。
【００６２】
また、光源としてはＬＥＤ１７（発光ダイオード）を用いている。ＬＥＤ１７を使用することで高輝度化及び低消費電力化などを図ることができる。
【００６３】
＜実施形態２＞
次に、本発明の実施形態２を図７によって説明する。実施形態１と同一部分には、同一符号を付して重複する説明を省略する。本実施形態のバックライト装置２１２においては、ＬＥＤ１７の配置が上記実施形態と相違する。具体的には、端部側光源群２５２における図７の右側（一端側）の最端に配されたＬＥＤ１７（符号２１７Ａを付す）は、中央側光源群５１における図７の右側（一端側）の最端に配されたＬＥＤ１７Ｂよりも、底板１４ａにおけるＸ軸方向（行方向）の外側に配されている。さらに、ＬＥＤ２１７Ａは、端部側光源群２５２において隣り合うＬＥＤ１７（符号１７Ｆを付す）よりも、底板１４ａにおけるＹ軸方向の外側（図７の上側又は下側）に配されている。
【００６４】
一方、端部側光源群２５２における図７の左側（一端側）の最端に配されたＬＥＤ１７（符号２１７Ｄを付す）は、中央側光源群５１における図７の左側（一端側）の最端に配されたＬＥＤ１７Ｅよりも、底板１４ａにおけるＸ軸方向（行方向）の外側に配されている。さらに、ＬＥＤ２１７Ｄは、端部側光源群２５２において隣り合うＬＥＤ１７（符号１７Ｇを付す）よりも、底板１４ａにおけるＹ軸方向の外側（図７の上側又は下側）に配されている。
【００６５】
なお、端部側光源群２５２は、図７に示すＬＥＤ１７のうち、Ｙ軸方向における上端（又は下端）に配されたＬＥＤ１７の群である。すなわち、本実施形態の端部側光源群２５２においては、これを構成するＬＥＤ１７は、Ｘ軸方向に沿っているものの同一直線状には、配されていない（ＬＥＤ２１７Ａ、２１７Ｄのみ他のＬＥＤ１７よりも外側に突き出す形で配されている）。
【００６６】
また、本実施形態のバックライト装置２１２においては、上述したＬＥＤ２１７Ａ，２１７Ｄを実装するための基板として、他のＬＥＤ基板１８より、短い長さで設定されたＬＥＤ基板２１８がそれぞれ配されている。なお、ＬＥＤ基板２１８を備えた構成に限定されず、例えば、ＬＥＤ基板１８の一部を延設し、その延設部分にＬＥＤ２１７Ａ，２１７Ｄをそれぞれ実装する構成としてもよい。
【００６７】
上記のように各ＬＥＤ１７を配置すれば、端部側光源群２５２における両端に配されたＬＥＤ２１７Ａ，２１７Ｄを、実施形態１のＬＥＤ１７Ａ，１７Ｄと比較して、底板１４ａの対応する隅部に、より近づけて配することができ、隅部の輝度低下を、より効果的に抑制できる。
【００６８】
＜実施形態３＞
次に、本発明の実施形態３を図８によって説明する。上記各実施形態と同一部分には、同一符号を付して重複する説明を省略する。本実施形態のバックライト装置３１２においては、ＬＥＤ１７の配置が上記各実施形態と相違する。各光源群５０におけるＸ軸方向の一端側の最端に配されたＬＥＤ１７は、Ｙ軸方向の端部（底板１４ａの外側）に向かうにつれて、Ｘ軸方向における外側に配される構成となっている。この構成について、Ｙ軸方向に複数配された光源群５０のうち、底板１４ａにおけるＹ軸方向の端部側に配された端部側光源群３５２（第１の端部側光源群）と、この端部側光源群３５２よりも、一列だけ底板１４ａの中央側に配された端部側光源群３５３（第２の端部側光源群）と、を例示して説明する。
【００６９】
端部側光源群３５２における図８の右側（一端側）の最端に配されたＬＥＤ１７（符号３１７Ａを付す）は、端部側光源群３５３における図８の右側（一端側）の最端に配されたＬＥＤ１７（符号３１７Ｃを付す）よりも、底板１４ａにおけるＸ軸方向（行方向）の外側（図８の右側）に配されている。
【００７０】
一方、端部側光源群３５２における図８の左側（一端側）の最端に配されたＬＥＤ１７（符号３１７Ｄを付す）は、端部側光源群３５３における図８の左側（一端側）の最端に配されたＬＥＤ１７（符号３１７Ｆを付す）よりも、底板１４ａにおけるＸ軸方向（行方向）の外側（図８の左側）に配されている。このような構成とすれば、上記各実施形態と同様に、底板１４ａの隅部付近にＬＥＤ１７を近づけて配することができる。
【００７１】
＜他の実施形態＞
本発明は上記記述及び図面によって説明した実施形態に限定されるものではなく、例えば次のような実施形態も本発明の技術的範囲に含まれる。
【００７２】
（１）上記実施形態で例示した端部側光源群５２，２５２，３５２，３５３及び中央側光源群５１は、一例であって、これに限定されるものではない。複数の光源群５０のうち、相対的に端部側に配された光源群５０は全て端部側光源群として適用可能であり、その端部側光源群よりも、中央側に配された光源群５０は、全て中央側光源群として適用可能である。
【００７３】
（２）上記各実施形態では、Ｙ軸方向における両端側の光源群５０をそれぞれ端部側光源群５２，２５２，３５２，３５３としたが、Ｙ軸方向におけるいずれか一端側の光源群５０のみを端部側光源群としてもよい。
【００７４】
（３）上記実施形態では、光源としてＬＥＤ１７を例示したが、これに限定されず、ＬＥＤ以外の光源を適用可能である。
【００７５】
（４）上記実施形態では、ＬＥＤ基板１８は、その長辺方向がＸ軸方向に沿う形で配されている構成を例示したが、これに限定されない。例えば、ＬＥＤ基板１８の長辺方向をＹ軸方向に沿う形で配する構成としてもよい。
【００７６】
（５）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００７７】
（６）上記した実施形態では、表示パネルとして液晶パネルを用いた液晶表示装置を例示したが、他の種類の表示パネルを用いた表示装置にも本発明は適用可能である。
【００７８】
（７）上記した実施形態では、チューナーを備えたテレビ受信装置を例示したが、チューナーを備えない表示装置にも本発明は適用可能である。
【符号の説明】
【００７９】
１０…液晶表示装置（表示装置）、１１…液晶パネル（表示パネル）、１２，２１２，３１２…バックライト装置（照明装置）、１４…シャーシ、１４ａ…底板（底部）、１７…ＬＥＤ（光源）、１７Ａ，１７Ｄ，２１７Ａ，２１７Ｄ…ＬＥＤ（端部側光源群における一端側（又は両端）の最端に配された光源）、１７Ｂ…ＬＥＤ（中央側光源群における一端側（又は両端）の最端に配された光源）、１７Ｆ，１７Ｇ…ＬＥＤ（端部側光源群において隣り合う光源）、１９…拡散レンズ、５０…光源群、５１…中央側光源群、５２，２５２…端部側光源群（列方向における両端の光源群）、３１７Ａ，３１７Ｄ…ＬＥＤ（第１の端部側光源群における一端側の最端に配された光源）、３１７Ｃ，３１７Ｆ…ＬＥＤ（第２の端部側光源群における一端側の最端に配された光源）、３５２…端部側光源群（第１の端部側光源群）、３５３…端部側光源群（第２の端部側光源群）、ＴＶ…テレビ受信装置
【図１】
2011070872.tif 000003
【図２】
2011070872.tif 000004
【図３】
2011070872.tif 000005
【図４】
2011070872.tif 000006
【図５】
2011070872.tif 000007
【図６】
2011070872.tif 000008
【図７】
2011070872.tif 000009
【図８】
2011070872.tif 000010
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
複数の光源と、
平面視方形状をなす底部を有し、前記複数の光源を収容するシャーシと、を備え、
前記複数の光源は、前記底部の表面に沿って行方向及び列方向を形成する形で行列状に配されており、
前記行方向に沿って配列された複数の前記光源からなる光源群は、前記列方向において、前記底部の中央側に配される中央側光源群と、これよりも端部側に配される端部側光源群と、を有し、
前記端部側光源群における一端側の最端に配された前記光源は、前記中央側光源群における前記一端側の最端に配された前記光源よりも、前記底部における前記行方向の外側に配されており、
前記端部側光源群において、前記一端側の最端に配された前記光源は、前記端部側光源群において隣り合う前記光源よりも、前記底部における前記列方向の外側に配されていることを特徴とする照明装置。
【請求項２】
前記端部側光源群における両端に配された前記光源は、前記中央側光源群における両端に配された前記光源よりも、前記底部における前記行方向の外側に、それぞれ配されていることを特徴とする請求項１に記載の照明装置。
【請求項３】
前記端部側光源群は、前記列方向において、複数列配され、
前記列方向において、前記底部の端部側に配された第１の端部側光源群と、これよりも前記底部の中央側に配された第２の端部側光源群と、を有し、
前記第１の端部側光源群における前記一端側の最端に配された前記光源は、
前記第２の端部側光源群における前記一端側の最端に配された前記光源よりも、前記底部における前記行方向の外側に配されていることを特徴とする請求項１又は請求項２に記載の照明装置。
【請求項４】
前記光源群は、前記列方向において、少なくとも３列配され、前記列方向における両端の前記光源群が、それぞれ前記端部側光源群であることを特徴とする請求項１から請求項３のいずれか１項に記載の照明装置。
【請求項５】
前記光源の光出射側には、当該光源からの光を拡散可能な拡散レンズが配されていることを特徴とする請求項１から請求項４のいずれか１項に記載の照明装置。
【請求項６】
前記光源は、ＬＥＤであることを特徴とする請求項１から請求項５のいずれか１項に記載の照明装置。
【請求項７】
請求項１から請求項６のいずれか１項に記載の照明装置と、
前記照明装置からの光を利用して表示を行う表示パネルと、を備えることを特徴とする表示装置。
【請求項８】
前記表示パネルが液晶を用いた液晶パネルであることを特徴とする請求項７に記載の表示装置。
【請求項９】
請求項７又は請求項８に記載された表示装置を備えることを特徴とするテレビ受信装置。
【国際調査報告】
2011070872.tif 000011
2011070872.tif 000012
2011070872.tif 000013
2011070872.tif 000014